(57)【特許請求の範囲】
【請求項１】
プラズマディスプレイパネル（１）と、このプラズマディスプレイパネル（１）と平行に配置され、プラズマディスプレイパネルで発生した熱を放熱させるためのメインフレーム（２）とを含むプラズマディスプレイ装置の放熱システムにおいて、
前記メインフレーム（２）は少なくとも一つの中抜き部７を有し、
前記中抜き部７を通して挿入された第１サポート（４−１）と、
前記第１サポート（４−１）と前記プラズマディスプレイパネル（１）とを接着する接着手段（３）と、
少なくとも前記第１サポート（４−１）上に取り付けられて、この第１サポート（４−１）と前記メインフレーム（２）とを固定支持する第２サポート（４−２）と
を備えたことを特徴とするプラズマディスプレイ装置の放熱システム。
【請求項２】
前記第１サポート（４−１）の厚さが前記メインフレーム（２）の厚さと同一かそれより薄いことを特徴とする請求項１記載のプラズマディスプレイ装置の放熱システム。
【請求項３】
前記第２サポート（４−２）の広さが前記中抜き部（７）より広く、結合手段（５−１）で前記第２サポート（４−２）を第１サポート（４−１）に結合させて前記第１サポート（４−１）とメインフレーム（２）を固定支持することを特徴とする請求項１記載のプラズマディスプレイ装置の放熱システム。
【請求項４】
他の結合手段（５−２）で前記第２サポート（４−２）を前記メインフレーム（２）にさらに結合することを特徴とする請求項３記載のプラズマディスプレイ装置の放熱システム。
【発明の詳細な説明】
【０００１】
【発明の属する技術分野】
本発明はガス放電を用いるプラズマディスプレイ装置の放熱システムに係り、より詳しくはメインフレームとプラズマディスプレイパネルを容易に分離することができ、且つ放熱特性に優れたプラズマディスプレイ装置の放熱システムに関する。
【０００２】
【従来の技術】
最近、ガス放電現象を用いて画像を表現するプラズマディスプレイ装置は、大型スクリーン及び広い視野角を持ち、薄くて軽くできるという長所があるので、壁掛けテレビなどの映像表示装置として脚光をあびている。
【０００３】
一般に、プラズマディスプレイ装置は、相互に一定間隔をおいて配置している前面基板と後面基板とを備え、それらの間に放電セルを区画する隔壁が形成され、隔壁で区画された箇所の表面に蛍光体が塗布されている。更にセル内には放電ガスが充填される。また、前面基板には複数の共通維持電極とスキャン維持電極が平行に配列され、後面基板には共通維持電極とスキャン維持電極に対してほぼ直交する方向にデータ電極が対向配置されている。マトリックス状に配置されたセルにこのように形成された電極に信号電圧を印加して放電セル内のガスを放電させ、このガスから発生する２次電子により蛍光体を励起発光させることで映像表示を行っている。
【０００４】
このように駆動されるプラズマディスプレイパネル（以下、ＰＤＰと略する）を高輝度で表示する場合は、１画面の表示に多数回放電させなければならないため相当量の熟が発生する。その熱によって、ＰＤＰを駆動する駆動回路の信頼性が低下し、且つＰＤＰの性能及び特性が低下するという問題が発生する。また、映像表示信号によってＰＤＰを表示する時、部分的に高輝度を表示すると、周辺の低輝度部分に比べて温度差が大きくなり、その結果、ＰＤＰを構成するガラス基板に局部的な歪みが生じて割れることもありえる。
【０００５】
前述の如き問題を解決するために、シャーシ内に放熱ファンを設置する方法を初期に用いたが、これは騒音を発生し且つ高い消費電力を要するので、他の方法への転換を図っている。
【０００６】
図１は従来のプラズマディスプレイ装置の放熱システムを示す図である。同図に示すように、両面接着テープ３を用いてＰＤＰ１の裏面に複数のサポート４を付着し、ねじなどの締結器具５を用いて各サポート４にメインフレーム２を締結する。メインフレームは放熱のためのものである。しかし、この構造はＰＤＰ１とメインフレーム２との着脱が容易であるという長所はあるが、パネル１とメインフレーム２との間隔が広がり空気流動層が増加して放熱特性が低下するという問題がある。
【０００７】
図２は従来の他のプラズマディスプレイ装置の放熱システムを示す図である。同図に示すように、熱伝導性の良い両面接着テープ３を用いて別途のサポートなしでメインフレーム２をＰＤＰ１に付着する（大韓民国特許公開番号１９９８−１１６１３号）。しかし、この構造は放熱特性に優れているが、ＰＤＰ１の不良や破損時にメインフレームの取り外しが容易でないのみならず、ＰＤＰ１がガラス材質であるため、メインフレーム２を締結するのが容易でないという問題がある。
【０００８】
図３は従来のさらに他のプラズマディスプレイ装置の放熱システムを示す図である。同図に示すように、凹凸状のプレート６をメインフレーム２とＰＤＰ１との間に介在させ、凹凸プレート６の凹部内に両面接着テープなどの接着手段を入れて凹凸プレート６をＰＤＰに固定し、凹凸プレート６の凸部を直接ＰＤＰ表面に接触させ、メインフレーム２を凹凸プレート６に固定支持する（韓国特許公開番号１９９９−７６５５０号）。しかし、この構造の放熱システムは分離が容易であり且つ放熱特性が優秀であるものの、別途の凹凸プレート６を必要とするとともに、プレート６にメインフレーム２を固着するためには凹凸プレートを厚く作製しなければならないので、材料費及び作製費が増加するのみならず、ＰＤＰを廃棄する際にこの凹凸プレート６も共に廃棄しなければならないという問題がある。
【０００９】
【発明が解決しようとする課題】
本発明はかかる従来の問題点を解決するためのもので、その目的はＰＤＰとメインフレームを容易に分離することができるとともに、放熱特性に優れた経済的なプラズマディスプレイ装置の放熱システムを提供することにある。
【００１０】
【課題を解決するための手段】
前記目的を達成するための本発明の技術的手段は、ＰＤＰと、ＰＤＰと平行に配置され、ＰＤＰで発生した熱を放熱するためのメインフレームとを含むプラズマディスプレイ装置の放熱システムにおいて、前記メインフレームが少なくとも一つの中抜き部を有し、中抜き部を通して挿入された第１サポートとＰＤＰを接着手段で接着し、第２サポートを用いて第１サポートとメインフレームを固定支持することを特徴とする。
【００１１】
また、第１サポートの厚さはメインフレームの厚さと同一か或いはそれより薄くし、第２サポートの広さを中抜き部の広さより広くし、結合手段を用いて第２サポートを第１サポートにのみ結合させて第１サポートとメインフレームを固定支持できるようにすることが望ましい。
【００１２】
【発明の実施の形態】
以下、前記構成に係る本発明のプラズマディスプレイ装置の放熱システムの実施形態について添付図面を参照しつつ詳細に説明する。
【００１３】
図４は上記実施形態に係るプラズマディスプレイ装置の放熱システムの要部分解斜視図である。同図に示すように、一定大きさの中抜き部７が形成されたメインフレーム２をＰＤＰ１の一面に付着し、中抜き部７を通じて両面接着テープなどの接着手段で第１サポート４−１を接着固定する。この時、メインフレーム２は熱伝導性に優れた軽いアルミニウム金属で作製し、第１サポート４−１は中抜き部７に挿入しやすい大きさに作製する。特に、第１サポート４−１の厚さは両面接着テープとメインフレームの厚さを考慮して調節する。それによって、メインフレームとＰＤＰとの間隔を任意に調節することができる。この時、第１サポート４−１の厚さはメインフレームの厚さと同一か或いはそれより薄くすることが好ましい。
【００１４】
この状態ではメインフレーム２をＰＤＰに固定できないため、第２サポート４−２を用いて、ＰＤＰ１に固定された第１サポート４−１とメインフレーム２を結合する。その結合は、図５に示すように、ねじなどの結合手段５−１を用いて第２サポート４−２と第１サポート４−１を締結し、さらに他の結合手段５−２を用いて第２サポート４−２とメインフレーム２を締結する。
【００１５】
しかし、中抜き部７に第１サポート４−１が挿着された状態で面積が中抜き部７より広い第２サポート４−２を使用すると、必ずしも第２サポート４−２とメインフレーム２を結合手段５−２で締結する必要はなくなり、結合手段５−１で第２サポート４−２を第１サポート４−１に固定するだけで、第２サポートでメインフレーム２を押さえつけるようにしてもよい。また、結合手段５−１として用いるねじと、接着手段３として用いる両面接着テープとは単に例として挙げたもので、他に多様な形態の手段を用いることができる。
【００１６】
図５は本実施形態のプラズマディスプレイ装置の放熱システムの要部の断面図である。本実施形態のＰＤＰ１は、メインフレーム２と第１サポート４−１を両面接着テープで接着させ、更に第１サポート４−１の厚さ調節によりメインフレームとＰＤＰ間の間隔を任意に調節することができる。したがって、放熱効果が最適になるようにその間隔を調整することができるので、本実施形態は放熱効果に優れている。また、ねじからなる双方の結合手段５−１と５−２を除去すると、結合されているメインフレーム２とＰＤＰ１が簡単に分離される。もちろん、一つの結合手段５−１だけで固定してある場合は、その結合手段を外すだけでよいのは特に説明するまでもないであろう。この時、第１サポート４−１は両面接着テープ３によりＰＤＰに付着した状態で残り、ＰＤＰを廃棄する場合は第１サポート４−１だけを廃棄することになるので、経済的である。
【００１７】
本発明の詳細な説明では本発明を一実施形態を中心に説明したが、本発明の技術内容と添付された請求範囲から外れない限度内で多様な変形及び修正が可能なのは当該分野で通常の知識を有する者には明らかなことである。
【００１８】
【発明の効果】
以上説明したように、本発明によればメインフレームとＰＤＰとの間の間隔を減すか、或いはほとんど無くすことができるので優れた放熱効果を期待することができる。その上、本発明は、メインフレームとＰＤＰとの分離が容易であり、ＰＤＰ廃棄時に第１サポートだけを廃棄するだけでいいので経済的であるという効果がある。
【図面の簡単な説明】
【図１】従来のプラズマディスプレイ装置の放熱システムを示す図である。
【図２】従来のプラズマディスプレイ装置の他の放熱システムを示す図である。
【図３】従来のプラズマディスプレイ装置のまた他の放熱システムを示す図である。
【図４】本発明に係るプラズマディスプレイ装置の放熱システムの分解斜視図である。
【図５】図４のＡ−Ａに沿った断面図である。
【符号の説明】
１  ＰＤＰ、２  メインフレーム、３  両面接着テープ、４−１  第１サポート、４−２  第２サポート、５−１  結合手段、５−２  結合手段。
【図１】
0003592283.tif 000002
【図２】
0003592283.tif 000003
【図３】
0003592283.tif 000004
【図４】
0003592283.tif 000005
【図５】
0003592283.tif 000006